(57)【要約】【課題】  高効率に発光可能な有機機能層を備え、高輝度に表示できる有機エレクトロルミネッセンス装置を提供する。【解決手段】  第１電極１１と第２電極２１との間に有機機能層１３を挟持してなる有機ＥＬ素子１１０が基板１０上に配設された有機エレクトロルミネッセンス装置１００であって、有機機能層１３は側鎖型高分子液晶材料を含み、当該側鎖型高分子液晶材料の側鎖部は第１電極１１又は第２電極２１が配置されている側を向いていることを特徴とする【選択図】  図１
2005267871.tif 000002
【特許請求の範囲】
【請求項１】
第１電極と第２電極との間に有機機能層を挟持してなる有機ＥＬ素子が基板上に配設された有機エレクトロルミネッセンス装置であって、
前記有機機能層は側鎖型高分子液晶材料を含み、
当該側鎖型高分子液晶材料の側鎖部は前記第１電極又は前記第２電極が配置されている側を向いていることを特徴とする有機エレクトロルミネッセンス装置。
【請求項２】
前記側鎖部は、前記第１電極又は前記第２電極の概ね鉛直方向に向いていることを特徴とする請求項１に記載の有機エレクトロルミネッセンス装置。
【請求項３】
前記有機機能層と接触する層膜には垂直配向処理が施されていることを特徴とする請求項１又は請求項２に記載の有機エレクトロルミネッセンス装置。
【請求項４】
前記有機機能層は、発光層、ホール輸送層、及び電子輸送層のいずれかを有していることを特徴とする請求項１から請求項３のいずれかに記載の有機エレクトロルミネッセンス装置。
【請求項５】
前記基板における前記有機ＥＬ素子の光出射側に偏光層が設けられ、当該偏光層と前記基板の間に１／４波長層が設けられていることを特徴とする請求項１に記載の有機エレクトロルミネッセンス装置。
【請求項６】
請求項１から請求項５のいずれかに記載の有機エレクトロルミネッセンス装置を備えたことを特徴とする電子機器。
【発明の詳細な説明】
【技術分野】
【０００１】
本発明は、有機エレクトロルミネッセンス装置及び電子機器に関するものである。
【背景技術】
【０００２】
近年、次世代の表示装置として、有機エレクトロルミネッセンス装置（有機ＥＬ装置）が期待されている。有機ＥＬ装置は、発光層を上下の電極間に挟持した有機ＥＬ素子を基板上に配設して構成されており、典型的には、ガラス等の透光性の基板上に、陽極と、有機機能層（ホール輸送層、発光層、電子輸送層）と、陰極とを順次積層した構造が採られる。
また、有機ＥＬ装置の輝度や視認性の向上を目的として、種々の工夫が成されている。
例えば、有機ＥＬ素子として液晶性を有する材料を用いる技術が提案されている（例えば、特許文献１〜３参照。）。
【特許文献１】特開平１０−３２１３７１号公報
【特許文献２】特開平１１−８７０６４号公報
【特許文献３】特開２０００−３４７４３２号公報
【発明の開示】
【発明が解決しようとする課題】
【０００３】
上記各特許文献に記載の技術によれば、有機機能層における発光効率の向上により高輝度の表示が可能であると考えられている。しかしながら、これらの技術は十分な高輝度の表示が得られないことが本発明者により確認された。
本発明は、係る従来技術の問題点を解決し、高効率に発光可能な有機機能層を備え、高輝度に表示できる有機エレクトロルミネッセンス装置と、当該有機エレクトロルミネッセンス装置を備えた電子機器を提供することを目的とする。
【課題を解決するための手段】
【０００４】
上記の目的を達成するために、本発明は以下の手段を採用した。
即ち、本発明の有機エレクトロルミネッセンス装置は、第１電極と第２電極との間に有機機能層を挟持してなる有機ＥＬ素子が基板上に配設された有機エレクトロルミネッセンス装置であって、前記有機機能層は側鎖型高分子液晶材料を含み、当該側鎖型高分子液晶材料の側鎖部は前記第１電極又は前記第２電極が配置されている側を向いていることを特徴としている。
【０００５】
ここで、有機エレクトロルミネッセンス装置においては、電極間の電流量に応じて輝度が決まるので、高輝度な表示を得るために電極間の導電性を向上させる必要があった。
そこで、発明者は、液晶材料の中でも側鎖型高分子液晶材料に着目し、更に当該側鎖型高分子液晶材料における側鎖部の長手方向において導電性が高いことに着目した。そして、発明者は、当該有機ＥＬ素子を構成する有機機能層に側鎖部が含まれていると共に、当該側鎖部が第１電極又は第２電極が配置されている側を向くことによって、上記課題を解決することを確認した。
このような本発明の構成においては、第１電極と第２電極が対向する方向における導電性が向上し、第１電極と第２電極の間に所定の電圧を印加することで高い輝度の発光光を得ることができる。
更に、本発明の有機エレクトロルミネッセンス装置と、主鎖型の高分子液晶材料が面内でランダムに配向している有機エレクトロルミネッセンス装置と比較して、本発明は約５倍の発光効率を実現することが確認された。
【０００６】
また、前記有機エレクトロルミネッセンス装置においては、前記側鎖部は、前記第１電極又は前記第２電極の概ね鉛直方向に向いていることを特徴とを特徴としている。
このように、側鎖部が第１電極又は第２電極の概ね鉛直方向を向くことにより、当該鉛直方向における導電性が向上するので、先に記載の有機エレクトロルミネッセンス装置と同様の効果が得られる。即ち、第１電極と第２電極の間に所定の電圧を印加することで高い輝度の発光光を得ることができる。
【０００７】
また、前記有機エレクトロルミネッセンス装置においては、前記有機機能層と接触する層膜には垂直配向処理が施されていることを特徴としている。
ここでいう垂直配向処理とは、第１電極と第２電極が対向する方向に向けて配向処理が施されることを言う。
このように、有機機能層に接触する層膜に配向処理が施されることによって、当該配向処理された方向に側鎖型高分子液晶材料が配向する。従って、当該配向方向に沿って側鎖部が第１電極と第２電極の対向する方向に向けて配向すると共に、当該方向における導電性が向上するので、当該第１電極と第２電極の間に所定の電圧を印加することで高い輝度の発光光を得ることができる。
【０００８】
また、前記有機エレクトロルミネッセンス装置においては、前記有機機能層は、発光層、ホール輸送層、及び電子輸送層のいずれかを有していることを特徴としている。
ここで、本発明におけるホール輸送層及び電子輸送層の各々は、ホール注入層及び電子注入層としての機能を含むものである。
このようにすれば、発光層、ホール輸送層、及び電子輸送層のいずれかの層が高い導電性を有することになるので、第１電極と第２電極が対向する方向における導電性が向上し、当該第１電極と第２電極の間に所定の電圧を印加することで高い輝度の発光光を得ることができる。
【０００９】
また、前記有機エレクトロルミネッセンス装置においては、前記基板における前記有機ＥＬ素子の光出射側に偏光層が設けられ、当該偏光層と前記基板の間に１／４波長層が設けられていることを特徴としている。
このようにすれば、有機ＥＬ装置に入射して偏光層を透過した外光成分は、有機ＥＬ素子にて反射され、再び偏光層に入射する間に１／４波長層を通過する。ここで、外光成分は、１／４波長層によって付与される位相差によって、入射時とは９０°ずれた方向の直線偏光に変換され、偏光層に吸収され、有機エレクトロルミネッセンス装置の外方へは漏れ出なくなる。
従って、本構成の有機ＥＬ装置によれば、先に記載の有機エレクトロルミネッセンス装置の効果が得られると共に、外光の反射によるコントラストの低下を効果的に防止することができ、高画質の表示を得ることができる。
【００１０】
また、本発明の電子機器は、先に記載の有機エレクトロルミネッセンス装置を備えたことを特徴としている。
このような電子機器としては、例えば、携帯電話機、移動体情報端末、時計、ワープロ、パソコンなどの情報処理装置等を例示することができる。また、大型の表示画面を有するテレビや、大型モニタ等を例示することができる。
このようにすれば、高輝度、高コントラストの高画質表示が可能な表示部を備えた電子機器が提供される。
【発明を実施するための最良の形態】
【００１１】
以下、本発明の実施の形態について図面を参照しつつ説明する。尚、以下で参照する各図面においては、図面を見易くするために、各構成要素の寸法等を適宜変更して表示している。
【００１２】
（第１の実施形態）
図１は、本実施形態の有機エレクトロルミネッセンス装置（有機ＥＬ装置）の断面構成図であり、図２は、同有機ＥＬ装置における側鎖型高分子液晶材料を説明するための模式図である。本実施形態の有機ＥＬ装置１００は、図１に示すように、有機ＥＬ素子の出力光を基板側から取り出すボトムエミッション方式の有機ＥＬ装置である。
【００１３】
図１に示すように、有機ＥＬ装置１００は、基板１０の上面に、有機ＥＬ素子１１０が配設された構成を備えている。有機ＥＬ素子１１０は、基板１０側から、ＩＴＯ（インジウム錫酸化物）等の透明導電膜からなる陽極（第１電極）１１と、ホール輸送層１２と、発光層１３と、Ａｌ等の光反射性の金属膜からなる陰極（第２電極）２１とを積層した構成を備えている。発光層１３は、本発明の有機機能層に相当しており、当該発光層１３には側鎖型高分子液晶材料が含まれている。
【００１４】
ここで、側鎖型高分子液晶材料の具体例としては、例えば下記（化１）〜（化５）に示す液晶組成物や、これらの誘導体や重合体、混合組成物を採用することができる。これらの液晶組成物をホール輸送層１２の上方に形成することで、側鎖型高分子液晶材料からなる発光層１３を形成できる。
【００１５】
【化１】
2005267871.tif 000003
【００１６】
【化２】
2005267871.tif 000004
【００１７】
【化３】
2005267871.tif 000005
【００１８】
【化４】
2005267871.tif 000006
【００１９】
【化５】
2005267871.tif 000007
【００２０】
このような側鎖型高分子液晶材料は、ホール輸送層１２の上方に配置されることで、図２に示すような主鎖部１７と側鎖部１６が形成される。主鎖部１７は陽極１１に対して平行に配置されている。また、側鎖部１６は陽極１１から陰極２１に向けて配置されており、符号Ａに示す方向、即ち、陽極１１に対して概ね鉛直方向を向いている。
ここで、側鎖部１６は、その全てが陽極１１の鉛直方向を向いているのではなく、当該鉛直方向に対して所定角度で傾いていたり、主鎖部１７に絡まっていたり等、ランダムに配置されている。従って、本実施形態において、「側鎖部１６が概ね陽極１１の鉛直方向を向けて」とは、確率的に高い割合で側鎖部１６がその鉛直方向を向いていることを意味する。
【００２１】
なお、図２においては、陽極１１の側に主鎖部１７が配置し、側鎖部１６が陰極２１に向けて配置している状態を図示しているが、実際には側鎖部１６は主鎖部１７の周囲を３６０°回転可能になっているので、側鎖部１６が主鎖部１７の下側、即ち、ホール輸送層１２に向けて配置する場合もある。また、同図においては、主鎖部１７が陽極１１に対して平行に配置している状態を図示しているが、実際には、ホール輸送層１２の上方において、所定角度で傾いて配置する場合もある。
いずれにしても、上記特徴点として説明したように、側鎖部１６が陽極１１又は陰極２１が配置されている側、即ち、陽極１１の電極面又は陰極２１の電極面に向けて配置されている。
【００２２】
また、発光層１３となる高分子液晶材料の中でも、下記（化６）に示す側鎖部１６を有している材料が好適である。このような材料は発光特性が優れる性質を有する。
【００２３】
【化６】
2005267871.tif 000008
【００２４】
また、発光層１３に接触するホール輸送層１２に垂直配向処理を施して垂直配向面を形成し、当該垂直配向面上に側鎖型高分子液晶材料を形成してもよい。このようにすることにより、垂直配向面に応じて側鎖部１６を陰極２１に向けて配向させることが可能となる。
また、このような側鎖型高分子液晶材料は、湿式成膜法を利用することによって形成される。湿式成膜法としては、スピンコート法、インクジェット法等、の各種方法が採用される。
【００２５】
また、発光層１３に混合することが可能な発光材料としては、蛍光あるいは燐光を発光することが可能な公知の高分子発光材料を採用できる。例えば、ポリフルオレン誘導体（ＰＦ）、ポリパラフェニレンビニレン誘導体（ＰＰＶ）、ポリフェニレン誘導体（ＰＰ）、ポリパラフェニレン誘導体（ＰＰＰ）、ポリビニルカルバゾール（ＰＶＫ）、ポリチオフェン誘導体、ポリジアルキルフルオレン（ＰＤＡＦ）、ポリフルオレンベンゾチアジアゾール（ＰＦＢＴ）、ポリアルキルチオフェン（ＰＡＴ）や、ポリメチルフェニルシラン（ＰＭＰＳ）などのポリシラン系などを挙げることができる。また、これらの発光材料に限らず、ペリレン系色素、クマリン系色素、ローダミン系色素や、ルブレン、ペリレン、９，１０−ジフェニルアントラセン、テトラフェニルブタジエン、ナイルレッド、クマリン６、キナクリドン等の低分子材料を併用することもできる。
【００２６】
ホール輸送層１２は、陽極１１から発光層１３への電荷の注入効率を高めるとともに、発光層１３内を移動する電子をブロッキングする機能を奏し、発光層内での電子と正孔との再結合確率が高める作用を奏する。このホール輸送層１２には、陽極１１からの注入障壁が低く、正孔移動度の高い材料が好適に用いられる。このような材料としては、例えばポリチオフェン誘導体、ポリピロール誘導体など、またはそれらのドーピング体などが用いられる。具体的には、３，４−ポリエチレンジオキシチオフェン／ポリスチレンスルフォン酸（ＰＥＤＯＴ／ＰＳＳ）の分散液、即ち、分散媒としてのポリスチレンスルフォン酸に３，４−ポリエチレンジオキシチオフェンを分散させ、さらにこれを水に分散させた分散液などが用いられる。
【００２７】
陽極１１には、典型的には上記ＩＴＯが用いられるが、これに限らず、公知の透光性導電材料を用いることができる。
また、陰極２１としては、Ａｌの他、Ａｕ（金）、Ａｇ（銀）、Ｃｒ（クロム）、Ｃｕ（銅）、Ｎｉ（ニッケル）、Ｃａ、Ｍｇ（マグネシウム）、Ｓｒ、Ｙｂ（イッテルビウム）、Ｅｒ（エルビウム）、Ｔｂ（テルビウム）、Ｓｍ（サマリウム）等の金属材料、及びこれらから選択される金属材料の薄膜を複数積層した構造とすることもできる。本実施形態の構成では、陰極２１には、良好な光反射性を具備したＡｌ膜を好適に用いることができ、この場合、発光層で生じた光を偏光板１６側へ射出する手段を兼ねる構成となる。
【００２８】
上記構成を備えた本実施形態の有機ＥＬ装置１００は、陽極１１と陰極２１との間に所定の電圧を印加することで、有機機能層１５に流れる電流量に応じて生じる光を、基板１０の下面側（偏光板１６側）から取り出すようになっている。
【００２９】
上述したように、本実施形態においては、発光層１３が側鎖型高分子液晶材料を含む有機機能層からなり、側鎖型高分子液晶材料の主鎖部１７が陽極１１に対して平行に配置し、その側鎖部１６が陰極２１側を向いているので、陽極１１と陰極２１の間の導電性が向上し、また、発光層１３の発光効率が向上し、当該陽極１１と陰極２１の間に所定の電圧を印加することで高い輝度の発光光を得ることができる。
また、このような構成を有することで、発光特性が向上するので、主鎖型の高分子液晶材料が面内でランダムに配向している有機ＥＬ装置と比較して、約５倍の発光効率を実現することができる。
【００３０】
また、陽極１１と陰極２１の間において、側鎖部１６は陽極１１の概ね鉛直方向に向いているので、当該鉛直方向における導電性が向上し、陽極１１と陰極２１の間に所定の電圧を印加することで高い輝度の発光光を得ることができる。
【００３１】
また、発光層１３に接触するホール輸送層１２に垂直配向処理が施され、垂直配向面が形成されているので、ホール輸送層１２の上方において陽極１１から陰極２１の方向に向けて側鎖部１６が配向する。これによって、陽極１１と陰極２１の間における導電性が向上するので、当該陽極１１と陰極２１の間に所定の電圧を印加することで高い輝度の発光光を得ることができる。
【００３２】
（第２の実施形態）
次に、本発明の第２の実施形態について、図面を参照しつつ説明する。図３は、本実施形態の有機ＥＬ装置の断面構成図である。なお、図３において、図１及び図２と同様の構成要素については、同一の符号を付して表示し、説明を簡略化している。
【００３３】
図３に示すように、有機ＥＬ装置２００は、基板１０の上面に、有機ＥＬ素子２１０が配設された構成を備えている。有機ＥＬ素子２１０は、基板１０側から、ＩＴＯ（インジウム錫酸化物）等の透明導電膜からなる陽極１１と、発光層１３と、電子輸送層１４と、Ａｌ等の光反射性の金属膜からなる陰極２１とを積層した構成を備えている。電子輸送層１４は、本発明の有機機能層に相当しており、当該電子輸送層１４には側鎖型高分子液晶材料が含まれている。
【００３４】
ここで、側鎖型高分子液晶材料の具体例としては、先の実施形態に記載した（化１）〜（化５）に示す液晶組成物や、これらの誘導体や重合体、混合組成物を採用することができる。これらの液晶組成物を発光層１３の上方に形成することで、側鎖型高分子液晶材料からなる電子輸送層１４を形成できる。
【００３５】
このような電子輸送層１４は、発光層１３の上方に配置されることで、図２に示すような主鎖部１７と側鎖部１６が形成される。主鎖部１７は陽極１１に対して平行で、発光層１３の上方に配置されている。また、側鎖部１６は、発光層１３の上方において、陽極１１から陰極２１に向けて配置されており、符号Ａに示す方向、即ち、陽極１１に対して概ね鉛直方向を向いている。
【００３６】
なお、図２においては、陽極１１の側に主鎖部１７が配置し、側鎖部１６が陰極２１に向けて配置している状態を図示しているが、実際には側鎖部１６は主鎖部１７の周囲を３６０°回転可能になっているので、側鎖部１６が主鎖部１７の下側、即ち、発光層１３に向けて配置する場合もある。また、同図においては、主鎖部１７が陽極１１に対して平行に配置している状態を図示しているが、実際には、発光層１３の上方において、所定角度で傾いて配置する場合もある。
いずれにしても、上記特徴点として説明したように、側鎖部１６が陽極１１又は陰極２１が配置されている側、即ち、陽極１１の電極面又は陰極２１の電極面に向けて配置されている。
【００３７】
また、電子輸送層１４となる高分子液晶材料の中でも、下記（化７）に示す側鎖部１６を有している材料が好適である。このような材料は電子輸送性が優れる性質を有する。
【００３８】
【化７】
2005267871.tif 000009
【００３９】
また、電子輸送層１４に接触する発光層１３に垂直配向処理を施して垂直配向面を形成し、当該垂直配向面上に側鎖型高分子液晶材料を形成してもよい。このようにすることにより、垂直配向面に応じて側鎖部１６を陰極２１に向けて配向させることが可能となる。
【００４０】
上述したように、本実施形態においては、電子輸送層１４が側鎖型高分子液晶材料を含む有機機能層からなり、側鎖型高分子液晶材料の主鎖部１７が陽極１１に対して平行に配置し、その側鎖部１６が陰極２１側を向いているので、陽極１１と陰極２１の間の導電性が向上し、また、電子輸送層１４の電子注入／輸送性が向上し、当該陽極１１と陰極２１の間に所定の電圧を印加することで高い輝度の発光光を得ることができる。
また、このような構成を有することで、発光特性が向上するので、主鎖型の高分子液晶材料が面内でランダムに配向している有機ＥＬ装置と比較して、約５倍の発光効率を実現することができる。
【００４１】
また、陽極１１と陰極２１の間において、側鎖部１６は陽極１１の概ね鉛直方向に向いているので、当該鉛直方向における導電性が向上し、陽極１１と陰極２１の間に所定の電圧を印加することで高い輝度の発光光を得ることができる。
【００４２】
また、電子輸送層１４に接触する発光層１３に垂直配向処理が施され、垂直配向面が形成されているので、発光層１３の上方において陽極１１から陰極２１の方向に向けて側鎖部１６が配向する。これによって、陽極１１と陰極２１の間における導電性が向上するので、当該陽極１１と陰極２１の間に所定の電圧を印加することで高い輝度の発光光を得ることができる。
【００４３】
（第３の実施形態）
次に、本発明の第３の実施形態について、図面を参照しつつ説明する。図４は、本実施形態の有機ＥＬ装置の断面構成図である。なお、図４において、図１〜図３と同様の構成要素については、同一の符号を付して表示し、説明を簡略化している。
【００４４】
図４に示すように、有機ＥＬ装置３００は、基板１０の上面に、有機ＥＬ素子３１０が配設された構成を備えている。有機ＥＬ素子３１０は、基板１０側から、ＩＴＯ（インジウム錫酸化物）等の透明導電膜からなる陽極１１と、ホール輸送層１２と、発光層１３と、電子輸送層１４と、Ａｌ等の光反射性の金属膜からなる陰極２１とを積層した構成を備えている。ホール輸送層１２は、本発明の有機機能層に相当しており、当該ホール輸送層１２には側鎖型高分子液晶材料が含まれている。
また、基板１０において、発光層１３が形成される側とは反対側に、１／４波長フィルム（１／４波長層）３０と、偏光層３１とが形成されている。
【００４５】
ここで、側鎖型高分子液晶材料の具体例としては、先の実施形態に記載した（化１）〜（化５）に示す液晶組成物や、これらの誘導体や重合体、混合組成物を採用することができる。これらの液晶組成物を陽極１１の上方に形成することで、側鎖型高分子液晶材料からなるホール輸送層１２を形成できる。
【００４６】
このようなホール輸送層１２は、陽極１１の上方に配置されることで、図２に示すような主鎖部１７と側鎖部１６が形成される。主鎖部１７は陽極１１の上方に平行に配置されている。また、側鎖部１６は、陽極１１の上方において、陽極１１から陰極２１に向けて配置されており、符号Ａに示す方向、即ち、陽極１１に対して概ね鉛直方向を向いている。
【００４７】
なお、図２においては、陽極１１の側に主鎖部１７が配置し、側鎖部１６が陰極２１に向けて配置している状態を図示しているが、実際には側鎖部１６は主鎖部１７の周囲を３６０°回転可能になっているので、側鎖部１６が主鎖部１７の下側、即ち、陽極１１に向けて配置する場合もある。また、同図においては、主鎖部１７が陽極１１に対して平行に配置している状態を図示しているが、実際には、陽極１１の上方において、所定角度で傾いて配置する場合もある。
いずれにしても、上記特徴点として説明したように、側鎖部１６が陽極１１又は陰極２１が配置されている側、即ち、陽極１１の電極面又は陰極２１の電極面に向けて配置されている。
【００４８】
また、ホール輸送層１４となる高分子液晶材料の中でも、下記（化８）に示す側鎖部１６を有している材料が好適である。このような材料は電子輸送性が優れる性質を有する。
【００４９】
【化８】
2005267871.tif 000010
【００５０】
また、ホール輸送層１２に接触する陽極１１に垂直配向処理を施して垂直配向面を形成し、当該垂直配向面上に側鎖型高分子液晶材料を形成してもよい。このようにすることにより、垂直配向面に応じて側鎖部１６を陰極２１に向けて配向させることが可能となる。
【００５１】
上記構成を備えた本実施形態の有機ＥＬ装置３００は、陽極１１と陰極２１との間に所定の電圧を印加することで、有機機能層１５に流れる電流量に応じて生じる光を、基板１０の下面側（偏光板１６側）から取り出すようになっている。また、偏光層３１側から有機ＥＬ装置３００に入射した外光は、１／４波長層３０を通過した後に、陰極２１にて反射し、再び１／４波長層３０を通過して偏光層３１に入射する。ここで、外光成分は、１／４波長層３１によって付与される位相差によって、前記入射時とは９０°ずれた方向の直線偏光に変換され、上記偏光層に吸収されて装置外方へは漏れ出なくなる。
【００５２】
上述したように、本実施形態においては、ホール輸送層１２が側鎖型高分子液晶材料を含む有機機能層からなり、側鎖型高分子液晶材料の主鎖部１７が陽極１１に対して平行に配置し、その側鎖部１６が陰極２１側を向いているので、陽極１１と陰極２１の間の導電性が向上し、また、ホール輸送層１２のホール注入／輸送性が向上し、当該陽極１１と陰極２１の間に所定の電圧を印加することで高い輝度の発光光を得ることができる。
また、このような構成を有することで、発光特性が向上するので、主鎖型の高分子液晶材料が面内でランダムに配向している有機ＥＬ装置と比較して、約５倍の発光効率を実現することができる。
【００５３】
また、本実施形態においては、外光の反射によるコントラストの低下を効果的に防止することができる。更に、上記のように、側鎖型高分子液晶材料を含む有機機能層を備えたことによって高効率の発光動作が可能となるので、高画質の表示を得ることができる。
【００５４】
なお、本発明の技術範囲は上記実施形態に限定されるものではなく、本発明の趣旨を逸脱しない範囲において種々の変更を加えることが可能である。
【００５５】
（電子機器）
図５は、上記実施の形態の有機ＥＬ装置を備えた電子機器の一例を示す斜視構成図である。同図に示す携帯電話機１３００は、複数の操作ボタン１３０２と、受話口１３０３と、送話口１３０４と、先の実施形態の有機ＥＬ装置からなる表示部１３０１とを備えて構成されている。そして、この携帯電話機１３００によれば、表示部に備えられた有機ＥＬ装置による高輝度、高コントラストの高画質表示が可能になっている。
なお、本発明における有機ＥＬ装置を備えた電子機器としては、上記のものに限らず、他に例えば、デジタルカメラ、パーソナルコンピュータ、テレビ、携帯用テレビ、ビューファインダ型・モニタ直視型のビデオテープレコーダ、ＰＤＡ、携帯用ゲーム機、車載用オーディオ機器、自動車用計器、ＣＲＴ、カーナビゲーション装置、ページャ、電子手帳、電卓、時計、ワードプロセッサ、ワークステーション、テレビ電話、ＰＯＳ端末、タッチパネルを備えた機器などを挙げることができる。
【図面の簡単な説明】
【００５６】
【図１】本発明の有機ＥＬ装置における第１実施形態を示す断面構成図。
【図２】図１に示す有機ＥＬ装置の側鎖型高分子液晶材料を説明するための模式図。
【図３】本発明の有機ＥＬ装置における第２実施形態を示す断面構成図。
【図４】本発明の有機ＥＬ装置における第３実施形態を示す断面構成図。
【図５】本発明の電子機器の一例を示す斜視構成図。
【符号の説明】
【００５７】
１００，２００，３００  有機ＥＬ装置（有機エレクトロルミネッセンス装置）、１１０，２１０，３１０  有機ＥＬ素子、１０  基板、１１  陽極（第１電極）、２１  陰極（第２電極）、１２  ホール輸送層（有機機能層）、１３  発光層（有機機能層）、１４  電子輸送層（有機機能層）、３０  １／４波長層、３１  偏光層、１３００  携帯電話機（電子機器）
【図１】
2005267871.tif 000011
【図２】
2005267871.tif 000012
【図３】
2005267871.tif 000013
【図４】
2005267871.tif 000014
【図５】
2005267871.tif 000015